(57)【要約】      （修正有）【課題】本仕上げラインのサイズ範囲全体にわたって背張りをするための柔軟な方法と相応の装置を提供する。【解決手段】ブックブロック（１）の背（２）が、唯一の塗布工程でその背の長さ全体にわたって接着剤を備えられる。その後、第１の移送手段によって背張り材料の１つの第１の部分（３）又は１つの第１の部分と少なくとも１つの別の部分（４）が、次いで第２の移送手段）によって背張り材料の少なくとも１つの第２の部分（５）又は１つの第２の部分と少なくとも１つの別の部分（６）が、ブックブロックの背に互いにオーバーラップするように取り付けられる。このため、装置が、接着剤を塗布するための唯一の糊付け装置と、背張り材料の部分をオーバーラップするように取り付けるための第１及び少なくとも１つの第２の移送手段を、移送方向に相前後して配置されているように備える。【選択図】図５
2016117278.tif 000002
【特許請求の範囲】
【請求項１】
１．１：ブックブロック（１）が、本仕上げライン（７）内で移送方向（１０’）に搬送され、ブックブロック（１）の背（２）が、接着剤（８）を備えられ、
１．２：背張り材料（２３，３３，３８，４３）の部分（３，４，５，６）が、少なくとも１つの移送手段によって、接着剤（８）を備えたブックブロック（１）の背（２）に相前後して取り付けられる、
ブックブロック（１）の背（２）に背張り材料（２３，３３，３８，４３）の部分（３，４，５，６）を取り付けるための方法において、
１．３：まず、ブックブロック（１）の背（２）が、唯一の塗布工程でその背の長さ（９）全体にわたって接着剤（８）を備えられ、
１．４：その後、第１の移送手段（６０）によって背張り材料（２３，３３）の１つの第１の部分（３）又は１つの第１の部分（３）と少なくとも１つの別の部分（４）が、次いで第２の移送手段（６４）によって背張り材料（４３，３８）の少なくとも１つの第２の部分（５）又は１つの第２の部分（５）と少なくとも１つの別の部分（６）が、接着剤（８）を備えたブックブロック（１）の背（２）に互いにオーバーラップするように取り付けられる
こと、を特徴とする方法。
【請求項２】
背張り材料（２３，３３，３８，４３）の部分（３，４，５，６）は、互いにオーバーラップする少なくとも２つの部分（３，４，５，６）がブックブロック（１）の背（２）を完全に覆うように、移送手段（６０，６４）によってブックブロック（１）の背（２）に位置決めされること、を特徴とする請求項１に記載の方法。
【請求項３】
第１の移送手段（６０）によって背張り材料（２３）の１つの第１の部分（３）が、そして第２の移送手段（６４）によって背張り材料（４３）の１つの第２の部分（５）が、接着剤（８）を備えたブックブロック（１）の背（２）に取り付けられ、第１の部分（３）と第２の部分（５）の間に、背張り材料（３３）の少なくとも１つの別の部分（４）が、第１の移送手段（６０）によって第１の部分（３）と共にかつ第１の部分（３）に対してオーバーラップするように、及び／又は、背張り材料（３８）の１つの別の部分（６）が、第２の移送手段（６４）によって第２の部分（５）と共にかつ第２の部分（５）に対してオーバーラップするように、ブックブロック（１）の背（２）に取り付けられ、次にブックブロック（１）の背（２）に取り付けるべき背張り材料（４３，３８）の各部分（５，６）が、既に事前にブックブロック（１）の背（２）に取り付けられた部分（３、４）に対してオーバーラップするように取り付けられ、ブックブロック（１）の背（２）にそれぞれ取り付けられた部分（３，４，５，６）が、背をその背の長さ（９）にわたって完全に覆うことを特徴とする請求項１又は２に記載に方法。
【請求項４】
移送手段（６０，６４）が、それぞれ、１つの第１のセグメント（６８）と少なくとも１つの第２のセグメント（７４）を有する少なくとも１つの吸引要素（６３，６７）を備え、第１の吸引要素（６３）の第１のセグメント（６８）によって背張り材料（２３）の第１の部分（３）が、そして第２の吸引要素（６７）の第１のセグメント（６８）によって背張り材料（４３）の第２の部分（５）が、ブックブロック（１）の背（２）に取り付けられ、吸引要素（６３，６７）のそれぞれ少なくとも１つの第２のセグメント（７４）によって背張り材料（３３，３８）の別の部分（４，６）がブックブロック（１）の背（２）に取り付けられず、少なくとも１つの第２のセグメント（７４）は、第１のセグメント（６８）の接触面（６９）がブックブロック（１）の背（２）に接触し、少なくとも１つの第２のセグメント（７４）の接触面（７５）がブックブロック（１）の背（２）から間隔を置いているように、第１のセグメント（６８）に対してそれぞれ変位されているか変位されること、を特徴とする請求項１〜３のいずれか１項に記載の方法。
【請求項５】
第１の部分（３）のための背張り材料（２３）と、少なくとも１つの別の部分（４）のための背張り材料（３３）が、互いにオーバーラップするように第１の移送手段（６０）に供給される、及び／又は、第２の部分（５）のための背張り材料（４３）と、少なくとも１つの別の部分（６）のための背張り材料（３８）が、互いにオーバーラップするように第２の移送手段（６４）に供給されること、を特徴とする請求項１〜３のいずれか１項に記載の方法。
【請求項６】
第１のブックブロック（１）の背（２）に背張り材料（２３，３３，３８，４３）の部分（３，４，５，６）を取り付けている間又はその後に、本仕上げライン（７）内で、別のブックブロック（１）の背（２）にも背張り材料（２３，３３，３８，４３）の部分（３，４，５，６）が取り付けられ、別のブックブロック（１）の背（２）が、第１のブックブロック（１）の背（２）に対して異なった背の長さ（９）を備え、移送手段（６０，６４）は、ステップ１．３及び１．４の実行後、背張り材料（２３）の第１の部分（３）と、背張り材料（４３）の第２の部分（５）又は背張り材料（２３，３３）の第１の部分（３）と少なくとも１つの別の部分（４）と、背張り材料（４３，３８）の第２の部分（５）と少なくとも１つの別の部分（６）が、それぞれ互いにオーバーラップするように別のブックブロック（１）の背（２）を完全に覆うように、移送方向（１０’）又はその反対に互いに向かい合わせに移動されること、を特徴とする請求項１〜５のいずれか１項に記載の方法。
【請求項７】
本仕上げライン（７）を経るブックブロック（１）の搬送を移送方向（１０’）に行なうための移送装置（１０）と、ブックブロック（１）の背（２）に接着剤（８）を塗布するための糊付け装置と、背張り材料（２３，３３，３８，４３）のための少なくとも１つの供給装置（２０，３０；３５，４０）を有する少なくとも１つの背張りステーション（１６，１７）と、それぞれのブックブロック（１）の背（２）の厚さ（１９）に応じて背張り材料（２３，３３，３８，４３）の部分（３，４，５，６）を裁断するための少なくとも１つの切断装置（５０，５５）と、接着剤（８）を備えたブックブロック（１）の背（２）に背張り材料（２３，３３，３８，４３）の部分（３，４，５，６）を取り付けるために形成された少なくとも１つの移送手段を有する、ブックブロック（１）の背（２）に背張り材料（２３，３３，３８，４３）の部分（３，４，５，６）を取り付けるための装置において、
装置が、ブックブロック（１）の背（２）にその背の長さ（９）全体にわたって接着剤（８）を塗布するための唯一の糊付け装置（８０）と、背張り材料（２３，３３）の１つの第１の部分（３）又は１つの第１の部分（３）と少なくとも１つの別の部分（４）を取り付けるための第１の移送手段（６０）と、接着剤（８）を備えたブックブロック（１）の背（２）に背張り材料（３８，４３）の少なくとも１つの第２の部分（５）又は１つの第２の部分（５）と少なくとも１つの別の部分（６）を、第１の部分（３）又は第１の部分（３）と少なくとも１つの別の部分（４）に対してオーバーラップするように取り付けるための少なくとも１つの第２の移送手段（６４）を、移送方向（１０’）に相前後して配置されているように備えること、を特徴とする装置。
【請求項８】
移送手段（６０，６４）が、背張り材料（２３，３３，３８，４３）のそれぞれ１つの部分（３，４，５，６）の収容、一時的な保持及び引渡しをするために１つの第１のセグメント（６８）及び少なくとも１つの第２のセグメント（７４）を有するそれぞれ１つの吸引要素（６３，６７）を備えること、を特徴とする請求項７に記載の装置。
【請求項９】
第１のセグメント（６８）が、ブックブロック（１）の背（２）に対する第１の接触面（６９）を備え、少なくとも１つの第２のセグメント（７４）が、ブックブロック（１）の背（２）に対する第２の接触面（７５）を備え、少なくとも１つの第２のセグメント（７４）は、第１のセグメント（６８）の接触面（６９）が、ブックブロック（１）の背（２）に接触し、第２のセグメント（７４）の接触面（７５）がブックブロック（１）の背（２）から間隔を置いているように、第１のセグメント（６８）に対して変位可能に形成されていること、を特徴とする請求項８に記載の装置。
【請求項１０】
吸引要素（６３，６７）に、第１のセグメント（６８）に対する少なくとも１つの第２のセグメント（７４）の変位のためにそれぞれ１つのアクチュエータ（８３）が配置されていること、を特徴とする請求項８又は９に記載の装置。
【請求項１１】
吸引要素（６３，６７）が、この吸引要素（６３，６７）とは違う他の吸引要素（６３，６７）と交換可能にそれぞれの移送手段（６０，６４）に配置されていること、を特徴とする請求項８〜１０のいずれか１項に記載の装置。
【請求項１２】
少なくとも第１及び／又は第２のセグメント（６８，７４）が、この第１及び／又は第２のセグメント（６８，７４）とは違う他のセグメント（６８，７４）と交換可能にそれぞれの吸引要素（６３，６７）に配置されていること、を特徴とする請求項８〜１１のいずれか１項に記載の装置。
【請求項１３】
第１の移送手段（６０）の上流及び／又は第２の移送手段（６４）の上流に、背張り材料（２３，３３，３８，４３）のための少なくとも２つの供給装置（２０，３０；３５，４０）が配置され、第１の部分（３）のための背張り材料（２３）と少なくとも１つの別の部分（４）のための背張り材料（３３）が、互いにオーバーラップするように第１の移送手段（６０）に供給可能である、及び／又は、第２の部分（５）のための背張り材料（４３）と、少なくとも１つの別の部分（６）のための背張り材料（３８）が、互いにオーバーラップするように第２の移送手段（６４）に供給可能である、ように移送方向（１０’）に互いに変位されていること、を特徴とする請求項７〜１２のいずれか１項に記載の装置。
【請求項１４】
ブックブロック（１）の移送方向（１０’）に本仕上げライン（７）を経て相前後して配置された少なくとも２つの背張りステーション（１６，１７）が、背張り材料（２３，３３，３８，４３）の部分（３，４，５，６）を提供するためのそれぞれ少なくとも１つの供給装置（２０，３０；３５，４０）を有する１つの共通のタンデム背張りステーション（１５）を構成すること、を特徴とする請求項７〜１３のいずれか１項に記載の装置。
【請求項１５】
移送手段（６０，６４）に、背張り材料（２３，３３，３８，４３）のためのそれぞれ２つの供給装置（２０，３０；３５，４０）が付設され、それぞれ第２の供給装置（３０；３５）が、背張り材料（２３，３３，３８，４３）の部分（３，４，５，６）を備えるべきブックブロック（１）のサイズに応じて機械制御部（８７）によって作動可能であること、を特徴とする請求項７〜１４のいずれか１項に記載の装置。
【請求項１６】
請求項７〜１５のいずれか１項に記載の装置を有する本仕上げライン。
【発明の詳細な説明】
【技術分野】
【０００１】
本発明は、請求項１の上位概念に記載の、ブックブロックの背に背張り材料の部分を取り付けるための方法に関する。ブックブロックは、本仕上げライン内で移送方向に搬送され、ブックブロックの背は、接着剤を備えられる。背張り材料の部分は、少なくとも１つの移送手段によって、接着剤を備えたブックブロックの背に相前後して取り付けられる。
【０００２】
更に本発明は、請求項７の上位概念に記載の、本仕上げラインを経るブックブロックの搬送を移送方向に行なうための移送装置と、ブックブロックの背に接着剤を塗布するための糊付け装置と、背張り材料のための少なくとも１つの供給装置を有する少なくとも１つの背張りステーションと、それぞれのブックブロックの背の厚さに応じて背張り材料の部分を裁断するための少なくとも１つの切断装置と、接着剤を備えたブックブロックの背に背張り材料の部分を取り付けるために形成された少なくとも１つの移送手段を有する、ブックブロックの背に背張り材料の部分を取り付けるための装置に関する。
【０００３】
更に本発明は、請求項１６に記載の本仕上げラインに関する。
【背景技術】
【０００４】
ブックブロックから成る本を製造する際の重要なステップは、いわゆる背張りであり、この背張り時には、背の硬化を、従って後からの本の形態安定性を、その寿命にわたって保証するために、ブックブロックの背に、モルトン、ガーゼ又は引裂き強度を有する紙（クラフト紙又はちりめん紙）から成るストリップ状の補強材料が取り付けられる。背の付加的な強化は、ガーゼを事前に取り付けることによって達成することができ、このガーゼは、両長手側で背から突出する領域内で、そこに同様に取り付けられるいわゆる見返しと共に、背と表紙の間のヒンジ機能を担う。硬い表紙（ハードカバー）を有する本の仕上げ時には、背張りの際に、ブックブロックから表紙への移行部を装飾するように覆ういわゆる花布、即ち色つきバンドも、ブックブロックの上縁及び下縁に取り付けられる。
【０００５】
独国特許出願公開第１０２０１３００４４９７号明細書から、異なった背の長さを有する連続したブックブロックの機械による背張り及び花布付けをするための方法及び対応する装置が公知である。この方法の場合、相前後して背張り材料の２つの部分が互いにオーバーラップするようにブックブロックの背に取り付けられるが、背が、まず糊付けされ、両部分が相前後して別個の背張りステーションでブックブロックの背に取り付けられ、最後に加圧される。この場合、まず、背張り材料の第１の部分を取り付けるべき背の一部に対して第１の接着剤塗布が行なわれる。接着剤を備えた背の部分に背張り材料のこの第１の部分を取り付けた後、背の残りの部分と、既に背に取り付けられた背張り材料の部分のオーバーラップ領域は、背張り材料の第２の部分がブックブロックの背と、オーバーラップ領域内の背張り材料の第１の部分に取り付けられる前に、接着剤を備えられる。接着剤のこの段階的な塗布と、その直後に行なわれる、背張り材料の相応の部分による糊を備えた領域の覆いにより、装置の汚染を回避し、これにより装置の十分に障害のない運転を保証することができる。加えて、相応の部分がこのウェブから分離され、接着剤を備えたブックブロックの背に取り付けられる前に、背張り材料のウェブに、それぞれ１つの花布を接着することができる。両背張りステーションに対する背張り材料の供給装置の形成に関して、特にブックブロックの背に背張り材料の部分を取り付けるための移送手段の形成に関して、独国特許出願公開第１０２０１３００４４９７号明細書は言及しない。
【０００６】
欧州特許出願公開第２２６９８３６号明細書で、唯一の背張りステーションを備えた本仕上げライン内でブックブロックの背の機械による背張りもしくは花布付けをするための方法及び装置が説明される。この場合、背張り材料の少なくとも２つの部分、即ちブックブロックの背全体を覆う背張り材料の１つの部分と、長手側で突出する最後のガーゼストリップが、互いに結合されて１つの共通の背張り複合体を構成し、この背張り複合体が、ガーゼとして、糊付けされたブックブロックの背に取り付けられ、加圧される。この装置は、吸引要素を備えた１つの移送手段に異なった背張り材料を提供するための少なくとも２つの供給装置を備え、吸引要素が、移送手段への供給装置のそれぞれの引渡し箇所とブックブロックの背の間を移動される。
【０００７】
相前後して背張りすべきブックブロックの異なった背の長さに背張り複合体を素早く適合させるため、これら供給装置は、生じる背張り複合体がそれぞれのブックブロックの背の長さに一致するよう、背張り複合体における背張り材料の部分がオーバーラップするように、互いに向かい合わせに移動させることができる。その欠点は、供給装置の相互の移動を行なうべき背張りステーションの箇所に対する不利な接近性にある。加えて、異なった背張り材料のための貯蔵装置も互いに向かって移動可能な位置に取り付ける必要があり、これが、背張り材料の人間工学的な装填を不可能にする。更にそれぞれの練り付け装置もしくはその糊塗布ノズルへの接近は、場所の関係によって非常に限定され、背張り材料のサイドトリムの処理を困難にする。別の欠点は、個々の背張り材料を背張り複合体に結合する必要がある比較的多数の接着箇所にある。各接着箇所において、特にガーゼストリップの接着時に、装置の汚染の可能性があり、これは、本仕上げラインの運転に障害を生じさせることがある。
【０００８】
欧州特許第１８９４７３９号明細書は、同様に本仕上げライン内でブックブロックの背の背張り及び花布付けをするための装置を開示する。この場合、背張り材料は、唯一の供給装置によって本仕上げラインに搬送され、そこで裁断され、即ちそれぞれのブックブロックの背の厚さに応じて裁断され、移送手段の吸引要素によってそれぞれのブックブロックの背に取り付けられる。このため、吸引要素は、まず収容位置に旋回され、この収容位置で、吸引要素は、予め相応に裁断された背張り材料の部分を吸い付け、この部分を旋回運動によってブックブロックの背に対する引渡し位置へ搬送する。
【先行技術文献】
【特許文献】
【０００９】
【特許文献１】独国特許出願公開第１０２０１３００４４９７号明細書
【特許文献２】欧州特許出願公開第２２６９８３６号明細書
【特許文献３】欧州特許第１８９４７３９号明細書
【発明の概要】
【発明が解決しようとする課題】
【００１０】
この公知技術を背景にして、本発明の課題は、異なったサイズ及び／又は中身を有する本の連続仕上げの多様な要求に対処する、本仕上げラインのサイズ範囲全体にわたって背張りをするための柔軟な方法と相応の装置を提供することにある。装置は、良好な接近性と快適な操作性でもコンパクトで安価な構造方式を備え、方法は、サイズ交換時にマニュアルでの介入の必要なしに障害のない運転を保証すべきである。
【課題を解決するための手段】
【００１１】
この課題は、請求項１に記載の方法及び請求項７に記載の装置によって解決される。更に、請求項１６に記載の本仕上げラインが、課題を解決するために寄与する。有利な実施形態は、それぞれの従属請求項の対象である。
【００１２】
ブックブロックの背への背張り材料の部分のこの種の取付け時に、ブックブロックは、本仕上げライン内で移送方向に搬送され、その背は、接着剤を備えられる。その後、背張り材料の部分は、少なくとも１つの移送手段によって相前後して接着剤を備えた本ブロックの背に取り付けられる。
【００１３】
本発明によれば、まず、ブックブロックの背が、唯一の塗布工程でその背の長さ全体にわたって接着剤を備えられる。その後、第１の移送手段によって背張り材料の１つの第１の部分又は１つの第１の部分と少なくとも１つの別の部分が、次いで第２の移送手段によって背張り材料の少なくとも１つの第２の部分又は１つの第２の部分と少なくとも１つの別の部分が、接着剤を備えたブックブロックの背に互いにオーバーラップするように取り付けられる。
【００１４】
背の長さ全体にわたるこの一貫した糊塗布に基づいて、従来技術に対して第２の糊付け工程及び完全装備の糊付け装置を削減することができ、これにより、効率的な処理の進行とコンパクトで安価な構造方式を実現することができる。背張り材料の部分の互いにオーバーラップする取付けは、互いに接する部分によるよりも大きいサイズ範囲のカバーを、従ってより柔軟な処理も可能にする。部分を取り付けるために２つの別個の移送手段を使用することにより、有利には供給装置への良好な接近性を保証することができる。
【００１５】
方法の有利な実施形態によれば、背張り材料の部分は、互いにオーバーラップする少なくとも２つの部分がブックブロックの背を完全に覆うように、移送手段によってブックブロックの背に位置決めされる。
【００１６】
方法の別の実施形態によれば、第１の移送手段によって背張り材料の１つの第１の部分が、そして第２の移送手段によって背張り材料の１つの第２の部分が、接着剤を備えたブックブロックの背に取り付けられる。加えて、第１の部分と第２の部分の間に、背張り材料の少なくとも１つの別の部分が、第１の移送手段によって第１の部分と共にかつ第１の部分に対してオーバーラップするように、及び／又は、背張り材料の１つの別の部分が、第２の移送手段によって第２の部分と共にかつ第２の部分に対してオーバーラップするように、ブックブロックの背に取り付けられる。この場合、次にブックブロックの背に取り付けるべき背張り材料の各部分が、既に事前にブックブロックの背に取り付けられた部分に対してオーバーラップするように取り付けられる。ブックブロックの背にそれぞれ取り付けられた部分が、背をその背の長さにわたって完全に覆う。
【００１７】
背張り材料の２つの部分だけの使用に対して、カバーすべきサイズ範囲は、背張り材料の別の部分の少なくとも１つの取付けによって明らかに拡大することができる。加えて、この別の部分は、有利なことに選択的に第１の移送手段及び／又は第２の移送手段によって取り付けることができる。最後に背張りステーション及び移送手段の形成に応じて、移送手段毎に１つの別の部分の提供も又は複数の別の部分の提供も可能である。
【００１８】
方法の別の実施形態によれば、移送手段が、それぞれ、１つの第１のセグメントと少なくとも１つの第２のセグメントを有する少なくとも１つの吸引要素を備え、第１の移送手段の第１のセグメントによって背張り材料の第１の部分が、そして第２の移送手段の第１のセグメントによって背張り材料の第２の部分が、ブックブロックの背に取り付けられ、吸引要素のそれぞれ少なくとも１つの第２のセグメントによって背張り材料の別の部分がブックブロックの背に取り付けられない。この場合、少なくとも１つの第２のセグメントは、第１のセグメントの接触面がブックブロックの背に接触し、第２のセグメントの接触面がブックブロックの背から間隔を置いているように、第１のセグメントに対してそれぞれ変位されているか変位される。この場合、“接触”は、それぞれの接触面が、ブックブロックの背に、接触面によって保持される背張り材料の部分と共に接触することを意味し、“間隔をおいて”は、それぞれの接触面が、ブックブロックの背に塗布された接着剤と接触しないことを意味する。
【００１９】
ブックブロックの背から間隔を置いた第２のセグメントの接触面の位置決めに基づいて、確かに糊付けされているが背張り材料の１つの部分によって覆われていないブックブロックの背の範囲は、それにもかかわらず接着剤で汚染することができず、これにより、装置の障害のない運転が保証されている。
【００２０】
方法の別の実施形態によれば、第１の部分のための背張り材料と、少なくとも１つの別の部分のための背張り材料が、互いにオーバーラップするように第１の移送手段に供給される、及び／又は、第２の部分のための背張り材料と、少なくとも１つの別の部分のための背張り材料が、互いにオーバーラップするように第２の移送手段に供給される。
【００２１】
この方法によって、背張り材料の部分は、簡単に互いにオーバーラップするようにブックブロックの背に取り付けることができる。
【００２２】
方法の別の実施形態によれば、第１のブックブロックの背に背張り材料の部分を取り付けている間又はその後に、本仕上げライン内で、別のブックブロックの背にも背張り材料の部分が取り付けられ、別のブックブロックの背が、第１のブックブロックの背に対して異なった背の長さを備え、移送手段は、完全な背の糊付けのステップと、背張り材料の１つの第１の部分又は１つの第１の部分と少なくとも１つの別の部分の取付けのステップと、背張り材料の少なくとも１つの第２の部分又は１つの第２の部分と少なくとも１つの別の部分の引き続く取付けのステップの実行後、背張り材料の第１の部分と、背張り材料の第２の部分又は背張り材料の第１の部分と少なくとも１つの別の部分と、背張り材料の第２の部分と少なくとも１つの別の部分が、それぞれ互いにオーバーラップするように別のブックブロックの背を完全に覆うように、移送方向又はその反対に互いに向かい合わせに移動される。
【００２３】
このようにして、有利なことに直接的に相前後して異なったサイズを有するブックブロックを、マニュアルでの介入なく仕上げることができる。
【００２４】
本仕上げラインを経るブックブロックの搬送を移送方向に行なうための移送装置と、ブックブロックの背に接着剤を塗布するための糊付け装置と、背張り材料のための少なくとも１つの供給装置を有する少なくとも１つの背張りステーションと、それぞれのブックブロックの背の厚さに応じて背張り材料の部分を裁断するための少なくとも１つの切断装置と、接着剤を備えたブックブロックの背に背張り材料の部分を取り付けるために形成された少なくとも１つの移送手段を有する、ブックブロックの背に背張り材料の部分を取り付けるためのこの種の装置は、本発明によれば、ブックブロックの背にその背の長さ全体にわたって接着剤を塗布するための唯一の糊付け装置と、背張り材料の１つの第１の部分又は１つの第１の部分と少なくとも１つの別の部分を取り付けるための第１の移送手段と、接着剤を備えたブックブロックの背に背張り材料の少なくとも１つの第２の部分又は１つの第２の部分と少なくとも１つの別の部分を、第１の部分又は第１の部分と少なくとも１つの別の部分に対してオーバーラップするように取り付けるための少なくとも１つの第２の移送手段を、移送方向に相前後して配置されているように備える。
【００２５】
装置が、ブックブロックの背全体に接着剤を塗布するための唯一の糊付け装置しか備えないので、従来技術に対して完全装備の糊付け装置を削減し、これによりコンパクトで安価な構造方式を実現することができる。少なくとも２つの別個の移送手段の配置に基づいて、背張り材料の部分は、互いオーバーラップするようにブックブロックの背に取り付けることができ、これにより、この装置によって、有利なことにブックブロックの大幅なサイズ範囲を処理することができる。加えて、少なくとも２つの別個の移送手段の使用によって、供給装置に対して改善された接近性を保証することができる。
【００２６】
装置の１つの実施形態によれば、移送手段が、背張り材料のそれぞれ１つの部分の収容、一時的な保持及び引渡しをするために１つの第１のセグメント及び少なくとも１つの第２のセグメントを有するそれぞれ１つの吸引要素を備える。この場合、それぞれ１つの部分の保持が、背張りステーションからブックブロックへのその搬送時に行なわれる。
【００２７】
少なくとも２つのセグメントを備えるこのような吸引要素によって、背張り材料の部分は、それぞれ個々にブックブロックの背に取り付けることができるので、各背張りステーションによって、選択的に１つ又は複数の部分を処理することができる。
【００２８】
装置の別の実施形態によれば、第１のセグメントが、ブックブロックの背に対する第１の接触面を備え、少なくとも１つの第２のセグメントが、ブックブロックの背に対する第２の接触面を備え、少なくとも１つの第２のセグメントは、第１のセグメントの接触面が、ブックブロックの背に接触し、第２のセグメントの接触面がブックブロックの背から間隔を置いているように、第１のセグメンに対して変位可能に形成されている。
【００２９】
ブックブロックの背から間隔を置いた第２のセグメントの接触面の位置決めに基づいて、確かに糊付けされているが背張り材料の１つの部分によって覆われていないブックブロックの背の範囲を、それにもかかわらず接着剤で汚染することができず、これにより、装置の障害のない運転が保証されている。
【００３０】
装置の別の実施形態によれば、吸引要素に、第１のセグメントに対する少なくとも１つの第２のセグメントの変位のためにそれぞれ１つのアクチュエータが配置されている。
【００３１】
アクチュエータは、それぞれ処理すべきブックブロックのサイズに依存してタンデム背張りステーションを制御する機械制御部を有する装置の結合要素である。機械制御部により、少なくともアクチュエータによって、使用している供給装置、処理可能なセグメントの位置及び空気／真空の作用させるためのアクティブな孔システムが制御される。従って、背張りステーションは、このような形成により完全に自動化可能になる。従って、ブックブロックは、設備操作員が手で介入することなく仕上げることができる。
【００３２】
前記移送手段を備えた装置の別の実施形態によれば、吸引要素が、この吸引要素とは違う他の吸引要素と交換可能にそれぞれの移送手段に配置されている。
【００３３】
このようにして、吸引要素は、有利なことに背張り材料のウェブの異なった幅に適合させることができる。
【００３４】
前記移送手段を有する装置の別の実施形態によれば、少なくとも第１及び／又は第２のセグメントが、この第１及び／又は第２のセグメントとは違う他のセグメントと交換可能にそれぞれの吸引要素に配置されている。
【００３５】
従って前記利点と同様に、第１及び／又は少なくとも１つの第２のセグメントは、有利にことに背張り材料のウェブの異なった幅に適合させることができる。
【００３６】
装置の別の実施形態によれば、第１の移送手段の上流及び／又は第２の移送手段の上流に、背張り材料のための少なくとも２つの供給装置が配置され、第１の部分のための背張り材料と少なくとも１つの別の部分のための背張り材料が、互いにオーバーラップするように第１の移送手段に供給可能である、及び／又は、第２の部分のための背張り材料と、少なくとも１つの別の部分のための背張り材料が、互いにオーバーラップするように第２の移送手段に供給可能である、ように移送方向に互いに変位されている。
【００３７】
装置のこの形成に基づいて、背張り材料の部分は、簡単に互いにオーバーラップするようにブックブロックの背に取り付けることができる。
【００３８】
装置の別の実施形態によれば、ブックブロックの移送方向に本仕上げラインを経て相前後して配置された少なくとも２つの背張りステーションが、背張り材料の部分を提供するためのそれぞれ少なくとも１つの供給装置を有する１つの共通のタンデム背張りステーションを構成する。
【００３９】
このように配置された２つの背張りステーションにより、それぞれのブックブロックに対する背張り材料の部分のオーバーラップする取付けを、従って異なった背の長さを有するブックブロックの処理を実現することができる。加えて背張りステーションのこの配置により、供給装置への良好な接近性を保証することができる。
【００４０】
装置の別の実施形態によれば、移送手段に、背張り材料のためのそれぞれ２つの供給装置が付設され、それぞれ第２の供給装置が、背張り材料の部分を備えるべきブックブロックのサイズに応じて機械制御部によって作動可能である。
【００４１】
機械制御部により、装置は、異なったサイズ及び／又は中身を有する本の連続仕上げに自動的に設定することが、即ち本から本へ変更を行なうことが、できる。
【００４２】
前記実施形態のいずれか１つによる装置を備えた本仕上げラインは、特に有利である。このような本仕上げラインにより、産業的な本仕上げを実現することができる。
【００４３】
前記吸引要素は、本発明による方法で使用可能であり、本仕上げライン内でブックブロックの背に背張り材料の部分を取り付けるための既存に装置に増備することができる。この場合、吸引要素は、それぞれのブックブロックの背に対する背張り材料の、現在処理すべきブックブロックのサイズに適合させた部分の自動的な取付けを可能にする。
【図面の簡単な説明】
【００４４】
【図１】タンデム背張りステーションの領域内の本仕上げラインの斜視図
【図１Ａ】ブックブロックのための移送装置と、背張り材料ウェブの部分のためのそれぞれ１つの移送手段、それぞれ１つの引出し装置及び切断装置を有する右側もしくは左側の背張りステーションの断面図
【図２】右側の背張りステーションの斜視図
【図２Ａ】左側の背張りステーションの斜視図
【図３】ブックブロックの背に取り付けるべき背張り材料の２つの部分を有するタンデム背張りステーションの斜視図
【図４】ブックブロックの背に取り付けるべき背張り材料の３つの部分を有するタンデム背張りステーションの斜視図
【図５】ブックブロックの背に取り付けるべき背張り材料の４つの部分を有するタンデム背張りステーションの斜視図
【図６】１つの吸引要素によって背張り材料の２つの部分が互いにオーバーラップするようにブックブロックに取り付けられる、理解のために例えば図２ではその詳細な図示を省略した右側の背張りステーションの移送手段の斜視図
【図７】１つの吸引要素によって背張り材料の唯一の部分しかブックブロックに取り付けられない、図６に図示した移送手段の斜視図
【図８】図７に図示した移送手段によってブックブロックの移送方向に対して平行に行なわれるステップ
【発明を実施するための形態】
【００４５】
図１は、ブックブロック１の背２にその背の長さ９全体（図６）にわたって接着剤８を備えさせる１つの糊付け装置８０と、ウェブ状の背張り材料２３，４３のためのそれぞれ１つの第１の供給装置２０，４０及びウェブ状の別の背張り材料３３，３８のためのそれぞれ１つの第２の供給装置３０，３５を有する上流（右側）及び下流（左側）の背張りステーション１６，１７と、サイドトリミングをするためのサイドカット装置２７，４７と、背張り材料２３，４３に花布２６，４６を取り付けるための糊ノズル２８，４８と、背張り材料２３，３３，３８，４３を裁断するための、即ちブックブロック１のそれぞれの背２の厚さ１９（図２）に応じて部分３，４，５，６（図５）を分離すための、クロスカッタとして形成された切断装置５０，５５と、糊付けをされたブックブロック１の背２に部分３，４，５，６を取り付けるための図１Ａに図示した移送手段６０，６４と、これら部分３，４，５，６を押し付ける、押付け要素８６を備える押付け装置８５と、ブックブロック１を、同じ相互間隔で２つの搬送チェーン１１，１２の間に挟持し、ブックブロック１の線２の長手方向に一致する移送方向１０’に断続的に本仕上げライン７を経て搬送する移送装置１０を実質的に備える、本仕上げライン７内のタンデム背張りステーション１５を示す。
【００４６】
糊付け装置８０内で、ブックブロック１の上を向く背２は、背の形状に適合可能な塗布ロール８１によってその背の長さ９（図６）全体にわたって接着剤８を備えられる。その後一般的に、上流（右側）の背張りステーション１６で移送手段６０によって背張り材料２３，３３の１つの第１の部分３又は１つの第１の部分と少なくとも１つの別の部分４が、次いで下流（左側）の背張りステーション１７で移送手段６４によって背張り材料４３，３８の少なくとも１つの第２の部分５又は１つの第２の部分５と少なくとも１つの別の部分６が、接着剤８を備えたブックブロック１の背２に互いにオーバーラップするように、背を完全に覆うように取り付けられる。この場合、第１及び／又は第２の部分３，５のための背張り材料２３，４３に、付加的に花布２６，４６を取り付けることができる。従って、右側の背張りステーション１６で行なわれる第１の部分３の裁断のため、背張り材料２３と、背張り材料２３及び花布２６から構成される背張り材料ウェブ２４のどちらかが提供される。これに応じて、左側の背張りステーション１７で行なわれる第２の部分５の裁断のため、背張り材料４３と、背張り材料４３及び花布４６から構成される背張り材料ウェブ４４のどちらかが提供される。
【００４７】
処理すべきブックブロック１のサイズに応じて第１及び第２の部分３，５に対して付加的に使用される、背張り材料３３の少なくとも１つの別の部分４が、第１の移送手段６０によって、第１の部分３と共に第１の部分３に対してオーバーラップするように、糊付けされたブックブロック１の背２に取り付けられる。第２の部分５の引き続くオーバーラップする取付けの後、少なくとも１つの別の部分４は、第１と第２の部分３，５の両方とオーバーラップするように、第１と第２の部分３，５の間で、糊付けされたブックブロック１の背２に取り付けられている。
【００４８】
これと同様に、処理すべきブックブロック１のサイズに応じて第１と第２の部分３，５に対して付加的に並びに背張り材料３３の少なくとも１つの別の部分４に対して付加的又は選択的に背張り材料３８の少なくとも１つの別の部分６が、第２の移送手段６４によって、第２の部分５と共に第２の部分５に対してオーバーラップするように、糊付けされたブックブロック１の背２に取り付けられる。その場合、少なくとも１つの別の部分６は、第１と第２の部分３，５の両方とオーバーラップするように、第１と第２の部分３，５の間で、糊付けされたブックブロック１の背２に取り付けられている。背張り材料３８にこの少なくとも１つの別の部分６に対して付加的に、事前に更に背張り材料３３の少なくとも１つの別の部分４も、第１の部分３と共に取り付けられている場合、ブックブロックの背に取り付けられた両別の部分４，６が互いにオーバーラップする。
【００４９】
基本的に、次にブックブロック１の背２に取り付けるべき背張り材料４３，３８の各部分５，６は、既に事前にブックブロック１の背２に取り付けられた部分３，４に対してオーバーラップするように取り付けられる。
【００５０】
ブックブロック１の背２に共に取り付けるべき部分３，４もしくはブックブロック１の背２に共に取り付けるべき部分５，６のオーバーラップは、第１の移送手段６０の上流に配置された背張り材料２３，３３のための供給装置２０，３０もしくは第２の移送手段６４の上流に配置された背張り材料４３，３８のための供給装置４０，３５が、第１の部分３のための背張り材料２３と少なくとも１つの別の部分４のための背張り材料３３を互いにオーバーラップするように第１の移送手段６０に供給する、及び／又は、第２の部分５のための背張り材料４３と少なくとも１つの別の部分６を互いにオーバーラップするように第２の移送手段６４に供給するように、移送方向１０’に互いに変位されていることによって実現することができる。
【００５１】
当然、第１の部分３及び少なくとも１つの別の部分４も、第２の部分５及び少なくとも１つの別の部分６も、それぞれの移送手段６０，６４によって、それぞれ連続する作業ステップで個々にブックブロック１の背２に取り付けることもできる。このような方法の場合、第１の部分３と少なくとも１つの別の部分４のオーバーラップもしくは第２の部分５と少なくとも１つの別の部分６のオーバーラップは、移送装置１０の断続的な運転によって実現することができる。それぞれの供給装置２０，３０，３５，４０の互いに変位された配置が、この場合には必要ない。
【００５２】
図２で詳細に図示したように、右側の背張りステーション１６の第１の供給装置２０内で、ローラとして形成された貯蔵装置２２からウェブ状の背張り材料２３が、引き出され、サイドカット装置２７によって右側をトリミングされ、糊ノズル２８によって右縁に糊付けをされ、背張り材料ウェブ２４を成すように、花布ローラ２５から巻解かれた花布２６を貼り付けられる。この背張り材料ウェブは、引出し装置２１によって、クロスカッタとして形成された切断装置５０の上ブレード５１の下へ押し出され、そこでそれぞれのブックブロック１の背２に応じて裁断、即ちこの背２の厚さ１９に裁断される。このため、機械制御部８７が、ブックブロックデータに基づいて相応の裁断寸法をそれぞれの引出し装置２１，３１に設定する。このようにして生じた背張り材料ウェブ２４の第１の部分３は、まず、切断装置５０の下ブレード５２に隣接する支持テーブル５３上に載っている。当然、背張り材料２３及び花布２６から構成された背張り材料ウェブ２４の代わりに、付加的な花布２６を有しない背張り材料２３だけを使用することもできる。
【００５３】
右側の背張りステーション１６の第２の供給装置３０内では、必要な場合に貯蔵装置３２から引出し装置３１によって別のウェブ状の背張り材料３３が引き出され、ブックブロック１の背２の厚さ１９に応じて、上の位置に存在する切断装置５０の上ブレード５１の下へ押し出される。押し出された背張り材料３３も、相応に裁断され、従って背張り材料３３の別の部分４が発生され、この別の部分は、まず、切断装置５０の下ブレード５２に隣接する支持テーブル５３上に載っている（図５）。第２の供給装置３０が待機位置に存在する場合、貯蔵装置３２から来る背張り材料３３は、引出し装置３１によって挟持され、図２に示したように切断装置５０の下ブレード５２の直ぐ上流で終了する。
【００５４】
図２Ａに詳細に図示したように、左側の背張りステーション１７の第１の供給装置４０内で、ローラとして形成された貯蔵装置４２から引き出された背張り材料４３は、サイドカット装置４７によって左側を裁断され、糊ノズル４８によって左縁に糊付けをされ、背張り材料ウェブ４４を成すように、花布ローラ４５から巻解かれた花布４６を貼り付けられる。この背張り材料ウェブは、引出し装置４１によって切断装置５５の上ブレード５６の下へ押し出され、そこでそれぞれのブックブロック１の背２に応じて裁断、即ち背２の厚さに裁断される。このようにして背張り材料ウェブ４４から分離された背張り材料ウェブ４４の第２の部分５は、切断装置５５の下ブレード５７に隣接する支持テーブル５８上に載っている。当然、背張り材料４３と花布４６から構成される背張り材料ウェブ４４の代わりに、付加的な花布４６を有しない背張り材料４３だけを使用することもできる。
【００５５】
左側の背張りステーション１７の第２の供給装置３５内では、必要な場合に、同様にローラとして形成された貯蔵装置３７から引出し装置３６によって別のウェブ状の背張り材料３８が引き出され、切断装置５５の下へ押し出される。その後、押し出された背張り材料３８も、相応に裁断され、従って背張り材料３８の別の部分６が発生され、この別の部分は、まず、切断装置５５の下ブレード５７に隣接する支持テーブル５８上に載っている（図５）。左側の背張りステーション１７の第２の供給装置３５が待機位置に存在する場合は、貯蔵装置３７から来る背張り材料３８が引出し装置３６によって挟持され、図２Ａに示したように切断装置５５の下ブレード５７の直ぐ上流で終了する。
【００５６】
図１Ａに示したように、移送方向１０’に相前後して配置されたタンデム背張りステーション１５の背張りステーションの、それぞれの支持テーブル５３，５８に対して平行に整向された移送手段６０，６４の吸引要素６３，６７の１８０°の旋回運動によって、背張り材料ウェブ２４，４４もしくは背張り材料３３，３８のそれぞれの部分３，４，５，６のための収容位置６１，６５もしくは引渡し位置６２，６６が達成される。切断装置５０，５５が、その上ブレード５１，５６のそれぞれの下ブレード５２，５７に対する降下によって、背張り材料２３，４３とこれに貼り着けられた花布２６，４６から成る背張り材料ウェブ２４，４４もしくは背張り材料３３，３８から１つの部分３，４，５，６を分離する前、移送装置６０，６４の吸引要素６３，６７は、第１もしくは第２の部分３，５を、必要時にはそれぞれ別の部分４，６の少なくとも一方も、最後にそれぞれの吸引要素６３，６７と支持テーブル５３，５８の間に挟み込むために、収容位置６１，６５に旋回される。引き続く裁断の後、吸引要素６３，６７は、第１もしくは第２の部分３，５又は第１の部分３と少なくとも１つの別の部分４もしくは第２の部分５と少なくとも１つの別の部分６を吸い付けこれら部分をそれぞれ１８０°の旋回運動によって引渡し位置６２，６６に搬送する。引渡し位置６２，６６に対する収容位置６１，６５の立体的な配置に応じて、この旋回運動に対して、当然違う旋回角度を選択することもできる。旋回運動は、それぞれの部分３，５又はそれぞれの部分３，４，５，６の支持テーブル５３，５８への供給と同様に、１つの同じ水平な平面内で行なうこともできる。
【００５７】
ブックブロック１は、連続的に直立した配置で背２を上に向けて、移送装置１０の向かい合う断続的に回動する両搬送チェーン１１，１２によってタンデム背張りステーション１５のそれぞれの背張りステーション１６，１７へ搬送され、この場合、横のガイド１３，１４によって整向及び支持される。この搬送中、処理すべきブックブロック１の背２は、糊付け装置８０においてそれぞれ唯一の塗布工程で背の長さ９全体にわたって接着剤８を備えられる。
【００５８】
右側の背張りステーション１６の移送手段６０の引渡し位置６２で、吸引要素６３は、支持テーブル５３での事前の準備に応じて、背張り材料２３，３３の１つの第１の部分３又は１つの第１の部分３と少なくとも１つの別の部分４を、接着剤８を備えられた所属のブックブロック１の背２に取り付ける。その後、吸引要素６７は、左側の背張りステーション１７の移送手段６４の引渡し位置６６で、背張り材料４３，３８の少なくとも１つの第２の部分５又は１つの第２の部分５と少なくとも１つの別の部分６を、接着剤８を備えられた同じブックブロック１の背２に取り付ける。それぞれの部分３，４，５，６の取付け後、両吸引要素６３，６７は、同じサイズの後続のブックブロック１に対して次の部分３，５又は次の３，４，５，６を同じように受け取るために、再びそのそれぞれの収容位置６１，６５へ旋回して戻る。タンデムタンデム背張りステーション１５の後に配置された、押付け要素８６を備える押付け装置８５（図１）において、糊付けされたブックブロック１の背２に取り付けられた背張り材料ウェブ２４，４４もしくは背張り材料３３，３８の部分３，４，５，６が、均等かつ全面的に背２に押し付けられる。この場合、押付け要素８６は、例えば押付けパッドとして、即ち発泡材フォームプラスチック又は同様の材料からなる柔軟なパッドとして形成されている。
【００５９】
タンデム背張りステーション１５の移送手段６０，６４は、吸引要素６３，６７が、それぞれ１つのセグメント化された構成を有すること、即ち図６，７，８に図示したブックブロック１の背２に対するそれぞれ１つの接触面６９，７５を有する個々のセグメント６８，７４に分割されていること、によって従来の背張りステーションの移送手段とは異なる。ブックブロック１の移送方向１０’に延在するこれらセグメント６８，７４の長さは、それぞれの貯蔵装置２２，３２，３７，４２に、もしくは貯蔵装置２２，３２，３７，４２内に存在する背張り材料２３，３３，３８，４３の幅に依存する。
【００６０】
図７に示した吸引要素６３の第２のセグメント７４が、例えば背張り材料３３の１つの別の部分４で覆われていない場合、このセグメント７４は、背張り材料ウェブ２４の第１の部分３で覆われた吸引要素６３の第１のセグメント６８に対して、その接触面７５がブックブロック１の背２との接触を備えないが、背張り材料ウェブ２４の第１の部分３で覆われた接触面６９がブックブロック１の背２もしくはこれに取り付けられた第１の部分３と接触しているように、変位されている。この場合、接触面６９，７５の実際の高さの差は、決定的ではない。むしろ、背張り材料３３の別の部分４で覆われてない第２のセグメント７４の接触面７５がブックブロック１の背２から接着剤８を受け取らないことが重要である。何故なら、このような汚染が必然的に本仕上げライン７の故障を生じさせるからである。
【００６１】
背張りすべきブックブロック１のサイズ変更時に、両背張りステーション１６，１７は、機械制御部８７（図２，２Ａ）によって命じられて、図１，３及び４では２重矢印だけによって図示した調整装置１８を介して、背張り材料ウェブ２４，４４もしくは背張り材料３３，３８の部分３，４，５，６を事前に処理されたブックブロック１のサイズとは違う新しいブックブロック１の背２に正確に合致するように取り付けることができるまで、反対方向に調整される。
【００６２】
以下で、処理すべきブックブロック１のサイズにそれぞれ依存する複数の異なった処理経過を説明する。
【００６３】
図３は、１つのサイズを有するブックブロック１を処理するタンデム背張りステーション１５を示すが、このサイズの場合には、右側の背張りステーション１６で背張り材料ウェブ２４の第１の部分３が、左側の背張りステーション１７で背張り材料ウェブ４４の第２の部分が、ブックブロック１の背２に取り付けられる。このため、引出し装置２１，４１によって、第１の供給装置２０，４０の両貯蔵装置２２，４２からまずそれぞれ１つの背張り材料２３，４３が引き出され、それぞれのサイドカット装置２７，４７によってトリミングされ、背張り材料ウェブ２４，４４を成すようにそれぞれ１つの花布２６，４６と結合され、この背張り材料ウェブは、引き続き切断装置５０，５５の下へ押し出され、そこでそれぞれのブックブロック１の背２の厚さ１９（図２）に応じて裁断される。これによりそれぞれ生じた背張り材料ウェブ２４，４４の第１もしくは第２の部分３，５は、まずそれぞれの切断装置５０，５５に続く支持テーブル５３，５８上に位置し、引き続き移送手段６０，６４（図１Ａ）によってブックブロック１の背２に取り付けられる。
【００６４】
図４は、１つのサイズを有するブックブロック１を処理するタンデム背張りステーション１５を示すが、このサイズの場合には、背張り材料ウェブ２４，４４のそれぞれ１つの第１及び第２の部分３，５と背張り材料３８の１つの別の部分６が、ブックブロック１の背２に取り付けられる。このため図３に関して既に説明した経過に対して付加的に、左側の背張りステーション１７の引出し装置３６によって第２の供給装置３５の貯蔵装置３７から背張り材料３８が引き出され、背張り材料ウェブ４４の隣で切断装置５５の下へ押し出され、付属のブックブロック１の背２の厚さ１９（図２）に応じて裁断される。このようにして生じた背張り材料３８の別の部分６は、背張り材料ウェブ４４の第２の部分５と共に、切断装置５５の下ブレード５７に隣接する支持テーブル５８上に位置し、左側の背張りステーション１７の移送手段６４（図１Ａ）によってブックブロック１の背２に取り付けられる。
【００６５】
図５は、１つのサイズを有するブックブロック１を処理するタンデム背張りステーション１５を示すが、このサイズの場合には、背張り材料ウェブ２４，４４のそれぞれ１つの第１もしくは第２の部分３，５と背張り材料３３，３８のそれぞれ１つの別の部分４，６が、ブックブロック１の背２に取り付けられる。このため図４に関して既に説明した経過に対して付加的に、右側の背張りステーション１６の引出し装置３１によって第２の供給装置３０の貯蔵装置３２から背張り材料３３が引き出され、背張り材料ウェブ２４の隣で切断装置５０の下へ押し出され、付属のブックブロック１の背２の厚さ１９（図２）に応じて裁断される。このようにして生じた背張り材料３３の別の部分４は、背張り材料ウェブ２４の第１の部分３と共に、切断装置５０の下ブレード５２に隣接する支持テーブル５３上に位置し、右側の背張りステーション１６の移送手段（図１Ａ）によってブックブロック１の背２に取り付けられる。
【００６６】
図６に詳細に図示した右側の背張りステーション１６の移送手段６０は、両セグメント６８，７４に分割された吸引要素６３を、第１及び別の背張り部分３，４のための引渡し位置６２で示す。背張り材料２３及びこれに貼り着けられた花布２６を備える第１の部分３は、吸引要素６３の第１のセグメント６８によって収容されている。吸引要素６３の第２のセグメント７４は、その作業位置にあり、背張り材料３３の別の部分４を収容している。両部分３及び４は、中心領域で若干オーバーラップしている。
【００６７】
右側の背張りステーション１６の移送手段６０の両セグメント６９，７４は、それぞれの接触面６９，７５を貫通する第１の吸引孔７１，７７と、セグメント６８，７４を例えば上に向かって貫通するそれぞれ少なくとも１つの第２の孔７２，７８と、それぞれの第１の吸引孔７１，７７及びそれぞれ少なくとも１つの第２の孔７２，７８を接続するそれぞれ１つの第３の孔７３，７９とを有する、図８に詳細に図示したそれぞれ１つの孔システム７０，７６を備える。この孔システム７０，７６は、図６に図示した部分３，４を収容位置６１で吸気によって吸い付け、これら部分３，４を排気又は解放によって引渡し位置６２で、接着剤８を備えられたブックブロック１の背２に引き渡す（図１Ａ）。この場合、吸気は、それぞれ少なくとも１つの第２の孔７２，７８によって吸い出される。
【００６８】
旋回軸８２によって導入される回転運動により、吸引要素６３は、収容位置６１と引渡し位置６２の間を行ったり来たり移動する。例えば空気圧シリンダとして形成されたアクチュエータ８３により、右側の移送手段６０の吸引要素６３の第２のセグメント７４は、選択的に、ブックブロック１の背２に存在する作業位置又は引き戻された静止位置に位置決めすることができる。
【００６９】
図７には、右側の背張りステーション１６の移送手段６０が背張り材料ウェブ２４の第１の部分３だけを付着させた状態が示される。このため、第２のセグメント７４は、アクチュエータ８３によってその静止位置へ変位させられ、これにより、第２のセグメントは、第１のセグメント６８に対してセグメントストローク８４の分だけ後退している。これにより、第２のセグメント７４が糊付けされたブックブロック１の背２の接着剤８と接触しないことが得られる。移送手段６０によって１つ又は複数の部分３，４を備えられていないブックブロック１の背２の部分は、引き続き左側の背張りステーション１７の移送手段６４によって供給される少なくとも１つの部分５，６で背張りされる。
【００７０】
図８が示すように、吸引要素６３のセグメント６８及び７４は、互いに依存せずに作動するそれぞれ少なくとも１つの孔システム７０，７６を備え、これら孔システムによって、それぞれ１つの第２の孔７２，７８を介して吸気を吸い出すこと又は送気を導入することができる。背張り材料ウェブ２４もしくは背張り材料３３の部分３，４の幅に応じて、図７に模範的にそれぞれ２つの孔システム７０，７６でもって図示されているように、複数の孔システム７０，７６を使用することもできる。孔システム７０，７６は、機械制御部８７によって個々に起動又は停止することができる。
【００７１】
詳細には図示してない左側の背張りステーション１７の移送手段６４は、前で説明した右側の背張りステーション１６の移送手段６０と同様に、しかしながら実質的に鏡面対称に構成され、同様に作動する。移送手段６０と同様の構成に対して選択的に、左側の背張りステーション１７の移送手段６４は、唯一のセグメントだけを備えること又はしかしながら２つより多くのセグメントを備えることもできる。
【００７２】
機械制御部８７は、使用している供給装置２０，３０，３５，４０、変位可能な第２のセグメント７４の位置及び空気／真空を作用させるためのアクティブな孔システム７０，７６が制御される。
【符号の説明】
【００７３】
７        本仕上げライン
８        接着剤
９        背の長さ
１０      移送装置
１０’    移送方向
１１      搬送チェーン
１２      搬送チェーン
１３      ガイド
１４      ガイド
１５      タンデム背張りステーション
１６      背張りステーション
１７      背張りステーション
１８      調整装置
１９      背の厚さ
２０      第１の供給装置
２１      引出し装置
２２      貯蔵装置
２３      背張り材料
２４      背張り材料ウェブ
２５      花布ローラ
２６      花布
２７      サイドカット装置
２８      糊ノズル
３０      第２の供給装置
３１      引出し装置
３２      貯蔵装置
３３      背張り材料
３５      第２の供給装置
３６      引出し装置
３７      貯蔵装置
３８      背張り材料
４０      第１の供給装置
４２      貯蔵装置
４３      背張り材料
４４      背張り材料ウェブ
４５      花布ローラ
４６      花布
４７      サイドカット装置
４８      糊ノズル
５０      切断装置
５１      上ブレード
５２      下ブレード
５３      支持テーブル
５５      切断装置
５６      上ブレード
５７      下ブレード
５８      支持テーブル
６０      移送手段
６１      収容位置
６２      引渡し位置
６３      吸引要素
６４      移送手段
６５      収容位置
６６      引渡し位置
６７      吸引要素
６８      セグメント
６９      接触面
７０      孔システム
７１      第１の吸引孔
７２      第２の孔
７３      第３の孔
７４      セグメント
７５      接触面
７６      孔システム
７７      第１の吸引孔
７８      第２の孔
７９      第３の孔
８０      糊付け装置
８１      塗布ロール
８２      旋回軸
８３      アクチュエータ
８４      セグメントストローク
８５      押付け装置
８６      押付け要素
８７      機械制御部
【図１】
2016117278.tif 000003
【図１Ａ】
2016117278.tif 000004
【図２】
2016117278.tif 000005
【図２Ａ】
2016117278.tif 000006
【図３】
2016117278.tif 000007
【図４】
2016117278.tif 000008
【図５】
2016117278.tif 000009
【図６】
2016117278.tif 000010
【図７】
2016117278.tif 000011
【図８】
2016117278.tif 000012